(57)【要約】【課題】新たな装置をネットワークに接続する際に、装置に設定されるべき設定情報の設定を効率よく行うことを目的とする。【解決手段】デバイスと、デバイスに設定されるべき設定情報をデバイスに送信する設定情報送信装置と、を含むシステムであって、設定情報送信装置は、デバイスに設定情報を送信する設定情報送信手段を有し、デバイスは、ネットワーク通信に用いられるネットワーク設定情報を、ネットワークを介して取得する機能を用いて、ネットワーク設定情報を取得するネットワーク設定情報取得手段と、設定情報送信装置から、機能の使用を止める旨の情報を含む設定情報を受信する設定情報受信手段と、設定情報受信手段において受信された設定情報を、自身に設定する設定情報設定手段とを有することによって前記課題を解決する。【選択図】図１
2007020149.tif 000002
【特許請求の範囲】
【請求項１】
デバイスと、前記デバイスに設定されるべき設定情報を前記デバイスに送信する設定情報送信装置と、を含むシステムであって、
前記設定情報送信装置は、
前記デバイスに設定情報を送信する設定情報送信手段を有し、
前記デバイスは、
ネットワーク通信に用いられるネットワーク設定情報を、ネットワークを介して取得する機能を用いて、ネットワーク設定情報を取得するネットワーク設定情報取得手段と、
前記設定情報送信装置から、前記機能の使用を止める旨の情報を含む設定情報を受信する設定情報受信手段と、
前記設定情報受信手段において受信された設定情報を、自身に設定する設定情報設定手段と
を有することを特徴とするシステム。
【請求項２】
前記設定情報送信装置は、
前記設定情報の宛先を示す宛先リストを格納する格納手段と、
前記デバイスから、前記設定情報の送信要求を受信する送信要求受信手段と、
前記設定情報の送信を要求するデバイスを、宛先リストに追加する追加手段と、
を更に有し、
前記設定情報送信手段は、前記設定情報を、前記宛先リストが示す宛先に送信することを特徴とする請求項１記載のシステム。
【請求項３】
前記設定情報送信装置は、２回目以降の設定情報の送信の際は、前記機能の使用を止める旨の情報を含まない設定情報を送信することを特徴とする請求項１記載のシステム。
【請求項４】
前記設定情報受信手段は、ネットワーク通信に用いられる新たなネットワーク設定情報と、前記機能の使用を止める旨の情報とを含む設定情報を受信することを特徴とする請求項１記載のシステム。
【請求項５】
前記ネットワーク設定情報はネットワークでのアドレスであることを特徴とする請求項１記載のシステム。
【請求項６】
デバイスに設定情報を設定する設定方法であって、
ネットワーク通信に用いられるネットワーク設定情報を、ネットワークを介して取得する機能を用いて、ネットワーク設定情報を取得するネットワーク設定情報取得ステップと、
前記デバイスに設定されるべき設定情報を送信する設定情報送信装置から、前記機能の使用を止める旨の情報を含む設定情報を受信する設定情報受信ステップと、
前記設定情報受信ステップで受信された設定情報を、前記デバイスに設定する設定情報設定ステップと、
を有することを特徴とする設定方法。
【請求項７】
デバイスに設定情報を設定する設定方法をコンピュータに実行させるプログラムであって、
ネットワーク通信に用いられるネットワーク設定情報を、ネットワークを介して取得する機能を用いて、ネットワーク設定情報を取得するネットワーク設定情報取得ステップと、
前記デバイスに設定されるべき設定情報を送信する設定情報送信装置から、前記機能の使用を止める旨の情報を含む設定情報を受信する設定情報受信ステップと、
前記設定情報受信ステップで受信された設定情報を、前記デバイスに設定する設定情報設定ステップと、
をコンピュータに実行させることを特徴とするプログラム。
【請求項８】
設定情報送信装置より送信されたデバイスに設定されるべき設定情報を受信し、自身に設定するデバイスであって、
ネットワーク通信に用いられるネットワーク設定情報を、ネットワークを介して取得する機能を用いて、ネットワーク設定情報を取得するネットワーク設定情報取得手段と、
前記設定情報送信装置から、前記機能の使用を止める旨の情報を含む設定情報を受信する設定情報受信手段と、
前記設定情報受信手段により受信された設定情報を、自身に設定する設定情報設定手段と、
を有することを特徴とするデバイス。
【請求項９】
デバイスに設定されるべき設定情報を、前記デバイスに送信する設定情報送信装置であって、
前記設定情報の宛先を示す宛先リストを格納する格納手段と、
前記デバイスから、設定情報の送信要求を受信する送信要求受信手段と、
前記設定情報の送信を要求するデバイスを、宛先リストに追加する追加手段と、
ネットワーク通信に用いられるネットワーク設定情報を、ネットワークを介して取得する機能の使用を止める旨の情報を含む設定情報を、設定情報の送信を要求するデバイスに送信する設定情報送信手段と、
を有することを特徴とする設定情報送信装置。
【発明の詳細な説明】
【技術分野】
【０００１】
本発明は、システム及び設定方法に関する。
【背景技術】
【０００２】
近年のデバイスは、ネットワークに接続して使用するものが殆どである。ユーザがこのようなデバイスを新たにネットワークに追加し、設置する場合、ユーザがＩＰアドレス等のネットワーク通信に用いられる設定情報の設定を行わなければならない。このような煩わしさを解決するため、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）等を用いて、ＩＰアドレス等を自動で取得し、そのＩＰアドレスをデバイスに設定する技術が提案されている（例えば、特許文献１参照。）。
【０００３】
【特許文献１】特開２００３−３３３０５５号公報
【発明の開示】
【発明が解決しようとする課題】
【０００４】
しかしながら、ＤＨＣＰ等を用いた技術においては、デバイスがＩＰアドレス等を取得する度に、異なるＩＰアドレスがデバイスに割り当てられる可能性がある。そのため、サーバ系のサービスが動作するデバイスではこの技術の使用は不向きな問題があった。ＩＰアドレスが随時変更されると、クライアントが変更後のＩＰアドレスを知らない限り、サーバにアクセスできなくなるからである。一方、デバイスがＤＨＣＰ等を全く使用しないと、適切なＩＰアドレスを取得することができず、その後にネットワーク通信を行なえなくなる場合がある。
【０００５】
また、デバイスの設置時には、ＩＰアドレス以外にも多種の設定情報の設定を行わなければならない。そこで、設定情報を装置に定期的に送信する設定情報送信装置が用いられることがある。しかし、装置のＩＰアドレスが随時変更されると、設定情報送信装置が設定情報を装置に適切に送信することができなくなるおそれがある。
【０００６】
本発明は上記の点に鑑みなされたもので、新たな装置をネットワークに接続する際に、装置に設定されるべき設定情報の設定を効率よく行うことを目的とする。
【課題を解決するための手段】
【０００７】
そこで、前記問題を解決するため、本発明は、デバイスと、前記デバイスに設定されるべき設定情報を前記デバイスに送信する設定情報送信装置と、を含むシステムであって、前記設定情報送信装置は、前記デバイスに設定情報を送信する設定情報送信手段を有し、前記デバイスは、ネットワーク通信に用いられるネットワーク設定情報を、ネットワークを介して取得する機能を用いて、ネットワーク設定情報を取得するネットワーク設定情報取得手段と、前記設定情報送信装置から、前記機能の使用を止める旨の情報を含む設定情報を受信する設定情報受信手段と、前記設定情報受信手段において受信された設定情報を、自身に設定する設定情報設定手段とを有することを特徴とする。
【０００８】
係る構成とすることにより、例えば適切なネットワーク設定情報を自動的に設定することが可能になり、また、ネットワーク設定情報以外の設定情報の設定も自動的に行なわれるので、新たな装置をネットワークに接続する際に、装置に設定されるべき設定情報の設定を効率よく行うことができる。
【０００９】
また、前記問題を解決するため、本発明は、設定方法、プログラム、デバイス及び設定情報送信装置としてもよい。
【発明の効果】
【００１０】
本発明によれば、新たな装置をネットワークに接続する際に、装置に設定されるべき設定情報の設定を効率よく行うことができる。
【発明を実施するための最良の形態】
【００１１】
以下、本発明の実施例について図面に基づいて説明する。図１は、本発明に係るシステムのシステム構成図である。複写機１００１及び複写機１００２は、原稿を読み取り、読み取った原稿の画像データを印刷したり様々な装置に送信したりする。ファクシミリ装置１００３は、複写機１００１が生成する画像データを、公衆回線１００９を介して受信し、プリントする。データベース／メールサーバ１００４は、複写機１００１又は複写機１００２が送信した画像データを格納するアプリケーションサーバが動作しているコンピュータである。クライアントコンピュータ１００５は、データベースサーバ／メールサーバ１００４に接続し、データベースサーバ／メールサーバ１００４に格納されているデータをダウンロードして表示するコンピュータである。プリンタ１００６は、複写機１００１又は複写機１００２が生成する画像データや、クライアントコンピュータ１００５が生成するＰＤＬ（Ｐａｇｅ  Ｄｅｓｃｒｉｐｔｉｏｎ  Ｌａｎｇｕａｇｅ）データを印刷する印刷装置である。
【００１２】
ディレクトリサーバ１００７は、ユーザの名前や、電子メールアドレス、ファクス番号等の様々なディレクトリ情報を格納する情報管理装置である。複写機１００１や、複写機１００２、クライアントコンピュータ１００５は、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）等のプロトコルにより、ディレクトリ情報にアクセスすることが可能である。
【００１３】
ＤＨＣＰサーバ１０１０は、Ｄｙｎａｍｉｃ  Ｈｏｓｔ  Ｃｏｎｆｉｇｕｒａｔｉｏｎ  Ｐｒｏｔｏｃｏｌ（ＤＨＣＰ）を用いて、ネットワーク上のデバイスにＩＰアドレスを割り当てる。
【００１４】
イーサネット（登録商標）１００８は、複写機１００１、複写機１００２、データベース／メールサーバ１００４、クライアントコンピュータ１００５、プリンタ１００６、ディレクトリサーバ１００７、ＤＨＣＰサーバ１０１０等が、接続されているネットワークである。
【００１５】
本実施例では、データベースサーバ／メールサーバ１００４が、設定情報をネットワーク上のデバイスに配信する設定情報配信装置として、イーサネット（登録商標）１００８を利用して複写機１００１や複写機１００２に設定情報を送信する例を説明する。が、例えば複写機１００１が設定情報の配信元となり、複写機１００２等に設定情報を送信するようにしてもよい。また、本実施例では、装置間の接続媒体としてイーサネット（登録商標）１００８を用いた例を示している。が、特にイーサネット（登録商標）１００８に限定されるものではなく、装置間において双方向（データ）通信可能なものであれば何であってもよい。
【００１６】
また、接続媒体上において、装置間のデータ送受信に使用されるプロトコルは、ＨＴＴＰ（Ｈｙｐｅｒ  Ｔｅｘｔ  Ｔｒａｎｓｆｅｒ  Ｐｒｏｔｏｃｏｌ）、ＳＯＡＰ（Ｓｉｍｐｌｅ  Ｏｂｊｅｃｔ  Ａｃｃｅｓｓ  Ｐｒｏｔｏｃｏｌ）、ＦＴＰ（Ｆｉｌｅ  Ｔｒａｎｓｆｅｒ  Ｐｒｏｔｏｃｏｌ）等の既存のプロトコルや、まったく独自のアプリケーションプロトコルであっても構わない。
【００１７】
複写機１００１及び１００２のハードウェア構成を、図２に示す。図２は、複写機のハードウェアブロック図である。Ｃｏｎｔｒｏｌｌｅｒ  Ｕｎｉｔ  ２０００は、画像入力デバイスであるＳｃａｎｎｅｒ２０７０や、画像出力デバイスであるＰｒｉｎｔｅｒ２０９５と接続され、一方ではＬＡＮ２０１１や、公衆回線（ＷＡＮ）２０５１と接続されており、画像データや設定情報の入出力を行う。
【００１８】
ＣＰＵ２００１は、複写機全体を制御するコントローラである。ＲＡＭ２００２は、ＣＰＵ２００２が動作する際に用いるワークメモリであり、画像データを一時記憶する画像メモリでもある。ＲＯＭ２００３は、ブートＲＯＭであり、複写機のブートプログラムが格納されている。ＨＤＤ２００４は、ハードディスクドライブで、ソフトウェア（又はプログラム）や、画像データ等を格納する。
【００１９】
操作部Ｉ／Ｆ２００６は、タッチパネルを有した操作部（ＵＩ）２０１２とのインターフェース部で、操作部２０１２に表示されるべきデータを操作部２０１２に対して出力する。また、操作部Ｉ／Ｆ２００６は、複写機の使用者が操作部２０１２を用いて入力した情報を、ＣＰＵ２００１に伝える役割をする。Ｎｅｔｗｏｒｋ  Ｉ／Ｆ２０１０は、複写機をＬＡＮ２０１１に接続し、情報の入出力を行う。Ｍｏｄｅｍ２０５０は、複写機を公衆回線２０５１に接続し、情報の入出力を行う。以上のユニットがシステムバス２００７上に配置される。
【００２０】
Ｉｍａｇｅ  Ｂｕｓ  Ｉ／Ｆ２００５は、システムバス２００７と、画像データを高速で転送する画像バス２００８とを接続し、データ構造を変換するバスブリッジである。画像バス２００８は、ＰＣＩバス又はＩＥＥＥ１３９４で構成され、画像バス２００８上には以下のデバイスが配置される。
【００２１】
ラスターイメージプロセッサ（ＲＩＰ）２０６０は、ＰＤＬデータをビットマップイメージデータに展開する。デバイスＩ／Ｆ部２０２０は、画像入出力デバイスであるスキャナ２０７０及び／又はプリンタ２０９５と、コントローラ２０００とを接続し、画像データの同期系／非同期系の変換を行う。スキャナ画像処理部２０８０は、入力された画像データに対し補正、加工、編集等を行う。プリンタ画像処理部２０９０は、プリントされるべき画像データに対して、プリンタの補正、解像度変換等を行う。画像回転部２０３０は、画像データの回転を行う。画像圧縮部２０４０は、多値画像データに対してはＪＰＥＧ（Ｊｏｉｎｔ  Ｐｈｏｔｏｇｒａｐｈｉｃ  Ｅｘｐｅｒｔｓ  Ｇｒｏｕｐ）等の圧縮伸張処理を行い、２値画像データに対してはＪＢＩＧ（Ｊｏｉｎｔ  Ｂｉ−ｌｅｖｅｌ  Ｉｍａｇｅ  Ｅｘｐｅｒｔｓ  Ｇｒｏｕｐ）、ＭＭＲ（Ｍｏｄｉｆｉｅｄ  Ｍｏｄｉｆｉｅｄ  Ｒｅａｄ）、ＭＨ（Ｍｏｄｉｆｉｅｄ  Ｈｕｆｆｍａｎ）等の圧縮伸張処理を行う。ＩＣ  Ｃａｒｄ  Ｓｌｏｔ２１００は、ＩＣカードメディアを挿入された後に、適切なＰＩＮ（Ｐｅｒｓｏｎａｌ  Ｉｄｅｎｔｉｆｉｅｒ  Ｎｕｍｂｅｒ）コードが入力されることにより、暗号・復号に用いる鍵の入出力を行うことが可能となる。暗号・復号処理部２１１０は、ＩＣ  Ｃａｒｄ  Ｓｌｏｔ２１００の鍵を用いてデータの暗号化・複合化処理を行うハードウェアアクセラレータボードである。
【００２２】
設定情報配信装置のハードウェア構成を、図３に示す。図３は、設定情報配信装置のハードウェアブロック図である。
【００２３】
ＣＰＵ４００１は、設定情報配信装置全体を制御するコントローラである。ＲＡＭ４００２は、ＣＰＵ４００１が動作する際に用いるワークメモリである。ＲＯＭ４００５は、ブートＲＯＭであり、設定情報配信装置のブートプログラムが格納されている。ＨＤＤ４００６は、ハードディスクドライブで、ソフトウェア（又はプログラム）や、画像データ等を格納する。
【００２４】
操作部Ｉ／Ｆ４００３は、キーボード、マウス及びディスプレイを有した操作部（ＵＩ）４００７とのインターフェース部で、操作部４００７に表示されるべきデータを操作部４００７に対して出力する。また、操作部Ｉ／Ｆ４００３は、設定情報配信装置の使用者が操作部４００７を用いて入力した情報を、ＣＰＵ４００１に伝える役割をする。Ｎｅｔｗｏｒｋ  Ｉ／Ｆ４００４は、設定情報配信装置をＬＡＮに接続し、情報の入出力を行う。以上のユニットがシステムバス４００８上に配置される。
【００２５】
以下、複写機１００１又は１００２等の新デバイスがイーサネット（登録商標）１００８に初めて接続した場合に実行される処理の一例を、図４に示す。図４は、新デバイスがネットワークに初めて接続した場合に実行される処理の一例を示すフローチャートである。ＣＰＵ２００１及びＣＰＵ４００１がそれぞれ図４のフローチャートに基づくプログラムを実行することにより、この処理が実行される。
【００２６】
ユーザは、新デバイス（例えば図１における複写機１００１）の操作パネル上のある特定のキーを押下しながら電源をＯＮにする（Ｓ３００１）。
【００２７】
新デバイスは、初めてネットワークに接続（又は設置）される際のモードである初回設置モードで起動する（Ｓ３００２）。
【００２８】
新デバイスは、ＤＨＣＰ等の手段によりＤＨＣＰサーバ１０１０からネットワークを介して一時的なＩＰアドレスを取得し、一時的なＩＰアドレスを自身に設定し、動作を開始する（Ｓ３００３）。このように、新デバイスは、一時的なＩＰアドレスを取得して、自身に設定することにより、後述するように設定情報配信装置等と通信を行える。
【００２９】
そこで、新デバイスは、設定情報配信装置（例えば図１では、データベース／メールサーバ１００４）をＳＬＰ（Ｓｅｒｖｉｃｅ  Ｌｏｃａｔｉｏｎ  Ｐｒｏｔｏｃｏｌ）等の通信方法を用いて検索するべく、検索のためのデータをネットワーク上に送信する（Ｓ３００４）。
【００３０】
設定情報配信装置は、検索のためのデータに対する応答を新デバイスに対して送信する（Ｓ３００５）。
【００３１】
新デバイスは、検索で発見された設定情報配信装置（応答を送信した設定情報配信装置）に対して、初期化要求と、証明書とを送付する（Ｓ３００６）。ここで証明書は、例えばＸ．５０９公開鍵電子証明書である。
【００３２】
設定情報配信装置は、送付された証明書を予め備えているＣＡ（Ｃｅｒｔｉｆｉｃａｔｅ  Ａｕｔｈｏｒｉｔｙ  ）証明書を用いて検証する（Ｓ３００７）。そして、設定情報配信装置は、検証の結果に基づいて、送付された証明書が正当なものであるかどうかを判定する（Ｓ３００８）。
【００３３】
検証の結果、送付された証明書が正当な証明書ではないと判定すると、処理をＳ３００９へ進める。また、検証の結果、送付された証明書が正当な証明書であると判定すると、処理をＳ３０１１へ進める。
【００３４】
送付された証明書が正当な証明書ではなかった場合、設定情報配信装置は、エラーを新デバイスに通知する（Ｓ３００９）。一方、新デバイスは、エラーの通知を受け取ると、エラーを操作パネルに表示し、動作を終了する。
【００３５】
送付された証明書が正当な証明書であれば、設定情報配信装置は、新デバイスを設定情報の新しい配信先として登録するべく、例えばハードディスク等に格納して保持している配信先リストに新デバイスを識別する情報を登録する（Ｓ３０１１）。それと共に、初回の設定情報を、新デバイスに配信する（Ｓ３０１１）。なお、初回の設定情報は、新デバイスが今後使用する正式なネットワーク設定情報（ＩＰアドレス等）を含むと共に、ＤＨＣＰに係る機能を強制的にＯＦＦとする設定情報も含んでいる。設定情報は、この他に例えば、データの宛先としてのメールアドレスやＦＡＸ番号を示すアドレス帳情報、受信したデータを他に転送する場合の転送先や転送条件を示す転送設定情報、及び部門ＩＤ等を含む。また、新デバイスが使用すべき正式なネットワーク設定情報は、設定情報配信装置が管理しており、デバイス毎に固有な設定値がネットワーク設定情報として配信されるようになっている。配信先リストに登録される新デバイスを識別する情報とは、例えば新デバイスの名前や、新デバイスに送信される正式なＩＰアドレス等である。
【００３６】
新デバイスは、初回の設定情報を受信し、設定情報（ネットワーク設定情報を含む）をＨＤＤ２００４等に格納する。その後、新デバイスは設定情報を自身に設定し、動作を開始する（Ｓ３０１２）。つまり、新デバイスは、設定情報配信装置より配信されたＩＰアドレス等を自身に設定すると共に、ＤＨＣＰの機能をＯＦＦとし、また、ネットワーク設定情報以外の設定情報を自身に設定し、動作を開始する。Ｓ３０１２の処理により、新デバイスは、適切なネットワーク設定情報（例えば、ＩＰアドレス等）を自動的に設定することが可能となり、手動による設定に比べて、手間がかからず、且つ設定ミスを防止することができる。また、ネットワーク設定情報以外の設定情報（例えば、データの宛先としてのメールアドレスやＦＡＸ番号を示すアドレス帳情報、受信したデータを他に転送する場合の転送先や転送条件を示す転送設定情報、部門ＩＤ等）も自動的に設定することができる。また、ＤＨＣＰの機能をＯＦＦにすることにより、異なるＩＰアドレスがＤＨＣＰ機能によって新デバイスに割り当てられることもなくなる。
【００３７】
設定情報配信装置は、定期的な設定情報の配信処理に移行する（Ｓ３０１３）。定期的な設定情報の配信処理では、設定情報配信装置は、ネットワーク設定情報（デバイスのＩＰアドレス）やＤＨＣＰ機能を強制的にＯＦＦとする設定情報を、配信されるべき設定情報に含めない。また、設定情報配信装置は配信先リストに登録されているデバイスに設定情報を配信する。なお、設定情報配信装置は、定期的な設定情報の配信処理を、例えば予め定められた時間間隔で実行する。
【００３８】
新デバイスは、配信されてきた設定情報を機器に設定する（Ｓ３０１４）。Ｓ３０１３及びＳ３０１４等の処理により、ネットワーク設定情報以外の設定情報（例えば、データの宛先としてのメールアドレスやＦＡＸ番号を示すアドレス帳情報、受信したデータを他に転送する場合の転送先や転送条件を示す転送設定情報、及び部門ＩＤ等）の設定が継続して行え、常に正しい設定を行えるようになる。特に、多数のデバイス（又は複写機等）が接続されている場合、多数のデバイスのそれぞれに設定されるべき設定情報を適切に更新することができる。
【００３９】
上述したように本実施例によれば、新たなデバイスをネットワークに接続する際に、デバイスに設定されるべき設定情報の設定を効率よく行うことができる。
【００４０】
以上、本発明の好ましい実施例について詳述したが、本発明は係る特定の実施例に限定されるものではなく、特許請求の範囲に記載された本発明の要旨の範囲内において、種々の変形・変更が可能である。
【００４１】
例えば、上述した例では複写機を用いて説明を行ったが、ネットワークに新たに接続されるデバイスは、プリンタや、デジタル複合機、ファクシミリ、ＰＣ等、ネットワークに接続可能で設定が必要なデバイスなら何でもよい。
【００４２】
また、新デバイスがＳ３００３で取得したＩＰアドレスがそのまま用いられる場合には、設定情報配信装置はＳ３０１１でＤＨＣＰに係る機能を強制的にＯＦＦとする設定情報を送信するが、ネットワーク設定情報を送信しなくてもよい。
【００４３】
複写機１００１又は１００２が設定情報配信装置になる場合、複写機１００１又は１００２は、自身に設定されているアドレス帳情報や転送設定情報を配信すべき設定情報として送信する。これによって、複数の複写機のそれぞれに設定されているアドレス帳情報や転送設定情報が同期する。
【図面の簡単な説明】
【００４４】
【図１】図１は、本発明に係るシステムのシステム構成図である。
【図２】図２は、複写機のハードウェアブロック図である。
【図３】図３は、設定情報配信装置のハードウェアブロック図である。
【図４】図４は、新デバイスがネットワークに初めて接続した場合に実行される処理の一例を示すフローチャートである。
【符号の説明】
【００４５】
１００１    複写機
１００２    複写機
１００３    ファクシミリ装置
１００４    データベース／メールサーバ
１００５    クライアントコンピュータ
１００６    プリンタ
１００７    ディレクトリサーバ
１００８    イーサネット（登録商標）
１００９    公衆回線
２０００    コントローラユニット
２００１    ＣＰＵ
２００２    ＲＡＭ
２００３    ＲＯＭ
２００４    ハードディスク
２００５    Ｉｍａｇｅ  Ｂｕｓ  Ｉ／Ｆ
２００６    操作部Ｉ／Ｆ
２００７    システムバス
２００８    画像バス
２０１０    Ｎｅｔｗｏｒｋ  Ｉ／Ｆ
２０１１    ＬＡＮ
２０１２    操作部
２０２０    デバイスＩ／Ｆ
２０３０    画像回転部
２０４０    画像圧縮部
２０５０    ＭＯＤＥＭ
２０５１    ＷＡＮ
２０６０    ＲＩＰ
２０７０    スキャナ
２０８０    スキャナ画像処理部
２０９０    プリンタ画像処理部
２０９５    プリンタ
２１００    ＩＣ  Ｃａｒｄ  Ｓｌｏｔ
２１１０    暗号・復号処理部
【図１】
2007020149.tif 000003
【図２】
2007020149.tif 000004
【図３】
2007020149.tif 000005
【図４】
2007020149.tif 000006